(57)【特許請求の範囲】
【請求項１】
扱室（２２）に扱胴（６）を内設させ、脱穀排塵及び藁屑を機外後方に排出させる吸排塵ファン（３６）を扱胴（６）の後方に設け、扱胴（６）乃至吸排塵ファン（３６）の下方に揺動選別盤（２５）を設け、揺動選別盤（２５）下方で唐箕（３２）及び１番コンベア（３３）及び２番コンベア（３４）を前後に並設させ、唐箕（３２）の選別風を揺動選別盤（２５）に備えた下位のグレンシーブ（３０）と上位のチャフシーブ（２９）を介して上方の吸排塵ファン（３６）に向けて送給するコンバインの脱穀装置において、揺動選別盤（２５）前部に上下２段に前後フィードパン（２６，２７）を配設し、前フィードパン（２６）後側に篩線（２８）を取付け、また後フィードパン（２７）後端に前記チャフシーブ（２９）を連設させたことを特徴とするコンバインの脱穀装置。
【請求項２】
吸排塵ファン（３６）と篩線（２８）の間でチャフシーブ（２９）前後幅中間上方に扱胴（６）後部を配設させたことを特徴とする請求項１に記載のコンバインの脱穀装置。
【請求項３】
篩線（２８）の前側下方から後側上方に送風するプレファン（３１）をフィードパン（２６）下方に設けたことを特徴とする請求項１に記載のコンバインの脱穀装置。
【請求項４】
扱胴（６）前側面とフィードパン（２６）前端面とプレファン（３１）前側面を略面一に揃えたことを特徴とする請求項１に記載のコンバインの脱穀装置。
【請求項５】
プレファン（３１）とグレンシーブ（３０）の間でこれらの下方に唐箕（３２）を設けたことを特徴とする請求項１に記載のコンバインの脱穀装置。
【請求項６】
１番コンベア（３３）の軸に対して高位置に設ける唐箕（３２）の軸よりもプレファン（３１）の軸をさらに高く位置させたことを特徴とする請求項５に記載のコンバインの脱穀装置。
【請求項７】
フィードパン（２６）前端とグレンシーブ（３０）前端の間でこれらの下方にプレファン（３１）と唐箕（３２）を前後に近接させて設けたことを特徴とする請求項５に記載のコンバインの脱穀装置。
【発明の詳細な説明】
【０００１】
【発明の属する技術分野】
本発明は扱室内で脱穀処理された穀物をこの下方の揺動選別盤で選別処理するようにしたコンバインの脱穀装置に関する。
【０００２】
【発明が解決しようとする課題】
従来の揺動選別盤にあっては、フィードパンは１枚板に形成され、この後端にチャフシーブが連設される構造となっている。しかし乍らこのような構造の場合、選別巾も狭く、藁屑など塵も塊り状となって分散し難く、特に５条刈り以上など大容量化すればする程この傾向が顕著となって選別精度を低下させるという問題があった。
【０００３】
【課題を解決するための手段】
然るに、本発明は、扱室（２２）に扱胴（６）を内設させ、脱穀排塵及び藁屑を機外後方に排出させる吸排塵ファン（３６）を扱胴（６）の後方に設け、扱胴（６）乃至吸排塵ファン（３６）の下方に揺動選別盤（２５）を設け、揺動選別盤（２５）下方で唐箕（３２）及び１番コンベア（３３）及び２番コンベア（３４）を前後に並設させ、唐箕（３２）の選別風を揺動選別盤（２５）に備えた下位のグレンシーブ（３０）と上位のチャフシーブ（２９）を介して上方の吸排塵ファン（３６）に向けて送給するコンバインの脱穀装置において、揺動選別盤（２５）前部に上下２段に前後フィードパン（２６，２７）を配設し、前フィードパン（２６）後側に篩線（２８）を取付け、また後フィードパン（２７）後端に前記チャフシーブ（２９）を連設させるもので、２つのフィードパン（２６，２７）により、選別面積を有効に拡大させることができると共に、扱胴（６）によって脱粒される大半の穀粒が前部から下方の前フィードパン（２６）に落下して均一分散されて後方移送でき、穀粒落下量が少なくなる中間下方で中間下方で篩線（２８）によって藁屑を分離し乍ら前フィードパン（２６）の穀粒を後フィードパン（２７）及びチャフシーブ前部に移動させることができ、チャフシーブ（２９）前部及びグレンシーブ（３０）を介して穀粒を速やかに漏下させて効率良く収集でき、揺動選別盤（２５）前部での穀粒選別効率の向上などを容易に図ることができるものである。
【０００４】
また、吸排塵ファンと篩線の間でチャフシーブ前後幅中間上方に扱胴後部を配設させることにより、扱胴の脱穀によって発生する藁屑の大半を篩線後方のチャフシーブ上面に落下させて速やかに機外に排出し得、フィードパンの穀粒に混在する藁屑の除去を篩線によって適正に行わせ得、選別損失の低減並びに選別効率の向上などを容易に図り得るものである。
【０００５】
また、篩線の前側下方から後側上方に送風するプレファンをフィードパン下方に設けることにより、側面視円形の外形状となる唐箕の斜前方上方にプレファンの取付スペースを容易に確保し得、揺動選別盤の前後幅内にコンパクトにプレファンを設置し得るものである。
【０００６】
また、扱胴前側面とフィードパン前端面とプレファン前側面を略面一に揃えることにより、脱穀部の前面を略垂直な平面状の壁面で形成し得、脱穀部の機筐構造の簡略化並びに不要空間の低減によるコンパクト化を容易に図り得るものである。
【０００７】
また、プレファンとグレンシーブの間でこれらの下方に唐箕を設けることにより、プレファン上方にフィードパンを配置させてフィードパンの前後幅を容易に確保し得、かつグレンシーブに唐箕を近接させて選別風を適正に送給し得、揺動選別盤の左右幅を拡大することなく選別能力の向上などを容易に図り得るものである。
【０００８】
また、１番コンベアの軸に対して高位置に設ける唐箕の軸よりもプレファンの軸をさらに高く位置させることにより、フィードパンとグレンシーブの配置に必要な高低差を利用して揺動選別盤の下面側にプレファンを近接させて配置し得、プレファン取付け構造のコンパクト化並びに簡略化を容易に行い得るものである。
【０００９】
【００１０】
また、フィードパン前端とグレンシーブ前端の間でこれらの下方にプレファンと唐箕を前後に近接させて設けることにより、フィードパン下面を送風ガイドとしてプレファンから篩線下側に送風し得、フィードパンの前後幅を確保して揺動選別盤の左右幅縮少またはフィードパン上での穀粒の左右方向分散を容易に図り得、しかも唐箕とグレンシーブの離反距離を適正に形成して唐箕の風選作用を適正に行わせ得るものである。
【００１１】
【発明の実施の形態】
以下、本発明の実施例を図面に基づいて詳述する。図１は揺動選別部の側面説明図、図２はコンバインの全体側面図、図３は同平面図であり、図中（１）は走行クローラ（２）を装設するトラックフレーム、（３）は前記トラックフレーム（１）に架設する機台、（４）はフィードチェン（５）を左側に張架し扱胴（６）及び処理胴（７）を内蔵している脱穀機である脱穀部、（８）は刈刃（９）及び穀稈搬送機構（１０）などを備える刈取部、（１１）は刈取フレーム（１２）を介して刈取部（８）を昇降させる油圧シリンダ、（１３）は排藁チェン（１４）終端を臨ませる排藁処理部、（１５）は脱穀部（４）からの穀粒を揚穀筒（１６）を介して搬入する穀物タンク、（１７）は前記タンク（１５）の穀粒を機外に搬出する排出オーガ、（１８）は運転操作部（１９）及び運転席（２０）を備える運転キャビン、（２１）は運転キャビン（１８）下方に設けるエンジンであり、連続的に穀稈を刈取って脱穀するように構成している。
【００１２】
また、図４にも示す如く、図中（２２）は機体の前後方向に軸架する軸流型の扱胴（６）を内設させる扱室、（２３）は前記扱室（２２）に穀稈を挿入する扱口、（２４）は前記扱室（２２）下方に張架させるクリンプ網、（２５）は前記クリンプ網（２４）下方に前端を臨ませて前後方向に揺動自在に支持する揺動選別盤、（２６）（２７）は前記クリンプ網（２４）の下方に上下２段に配設する選別盤（２５）の前後フィードパン、（２８）は前フィードパン（２６）の後端側に上下揺動自在に設ける選別篩い線、（２９）は後フィードパン（２７）後端後方に連設するチャフシーブ、（３０）はチャフシーブ（２９）下方に配設するグレンシーブ、（３１）は前後フィードパン（２６）（２７）の上下間に選別風を送給するプレファンである送塵ファン、（３２）はチャフシーブ（２９）とグレンシーブ（３０）間及びグレンシーブ（３０）下方に選別風を送給するメインの送風装置である唐箕、（３３）は揚穀筒（１６）に連通させて穀物タンク（１５）に穀粒を取出す１番コンベア、（３４）は２番物を２番還元装置である２番還元コンベア（３５）を介し前記選別盤（２５）の篩い線（２８）上方に還元する２番コンベア、（３６）は前記選別盤（２５）の後端上方に配設する吸排塵ファンであり、前記扱胴（６）及び処理胴（７）により脱穀された穀粒を揺動選別盤（２５）で選別し整粒のみを前記穀物タンク（１５）に取出すと共に、排藁を排藁チェン（１４）を介し排藁処理部（１３）に送り込んで排藁カッタ（３７）による切断後機外に排出させるように構成している。
【００１３】
図５乃至図６に示す如く、前記篩い線（２８）は断面丸形の線体（２８ａ）を門形に折曲形成して、選別盤（２５）の揺動軸（２８）に固設する篩い線受け（３９）に、選別盤（２５）の全巾に亘って各線体（２８ａ）を略等間に櫛歯状に固定させるもので、選別盤（２５）の左右側壁（２５ａ）（２５ａ）間に回動自在に揺動軸（３８）を貫通支持させ、該揺動軸（３８）の篩い線受け（３９）に押え板（４０）及びボルト（４１）を介して篩い線（２８）の基端を挾着固定させている。
【００１４】
また前記揺動選別盤（２５）は後側のローラ（４２）を脱穀側板（４３）に揺動駆動軸（４４）及びクランク軸（４５）を介し回転自在に支持させると共に、左右脱穀側板（４３）の内側面に前低後高状に傾斜固設する断面コ形のガイドレール（４６）に、選別盤（２５）前側のローラ（４７）を嵌合支持させて、前記駆動軸（４４）の回転時選別盤（２５）後側を該軸（４４）を中心とした円運動で、前側をガイドレール（４６）に沿う直線運動とさせて、上下幅が小さく前後幅が大きい楕円軌跡（４８）で選別盤（２５）を前後及び上下に揺動するように構成している。
【００１５】
そして、左脱穀側板（４３）の内側面に前高後低状に傾斜固設する断面コ形のガイドレール（４９）に、前記篩い線（２８）の揺動ローラ（５０）を嵌合させるもので、前記揺動軸（３８）の左端に固設する揺動アーム（５１）の先端に長孔（５２）を介して揺動ローラ（５０）のローラ軸（５３）を係合支持させて、選別盤（２５）の揺動時、揺動ローラ（５０）をガイドレール（４９）に沿う直線運動とさせ、揺動アーム（５１）を軸（３８）を中心に揺動させて、前記篩い線（２８）の軸（３８）を中心とした上下揺動を行わしめるように構成している。
【００１６】
また、前記送塵ファン（３１）は前フィードパン（２６）の下位置で唐箕（３２）の前方位置に設けるもので、唐箕（３２）の唐箕ケース（５４）外側と、前フィードパン（２６）の底部間を送塵ファン（３１）のファンケース（５５）で覆って、前後フィードパン（２６）（２７）間に送風口（５６）を開設する一方、前記唐箕（３２）の上方には後フィードパン（２７）を配設して、チャフシーブ（２９）とグレンシーブ（３０）間及びグレンシーブ（３０）下方にそれぞれ選別風を送給する送風口（５７ａ）（５７ｂ）を唐箕（３２）の上部及び後部に開設して、前記篩い線（２８）や直接的にクリンプ網（２４）から落下する穀物や塵に送塵ファン（３１）からの選別風を、またチャフシーブ（２９）やグレンシーブ（３０）から落下する穀物や塵に唐箕（３２）からの選別風をそれぞれ別個に作用させて選別性能の安定向上を図るように構成している。さらに、前記篩い線（２８）の上下篩い作用によって後フィードパン（２７）やチャフシーブ（２９）での穀粒と塵の分散化を促進させることができると共に、篩い線（２８）上方に２番還元コンベア（３５）の還元口（３５ａ）を臨ませて、２番還元物の分散化も図って、限定された選別巾内で大容量の穀物の処理を有効に可能とさせるように構成したものである。
【００１７】
上記から明らかなように、クリンプ網（２４）で下方を仕切る扱室（２２）に扱胴（６）を内設させ、脱穀排塵及び藁屑を機外後方に排出させる吸排塵ファン（３６）を扱胴（６）の後方で略同一高さに設け、扱胴（６）乃至吸排塵ファン（３６）の下方に揺動選別盤（２５）を設け、揺動選別盤（２５）下方で唐箕（３２）及び１番コンベア（３３）及び２番コンベア（３４）を前後に並設させ、唐箕（３２）の選別風を揺動選別盤（２５）のグレンシーブ（３０）下方からチャフシーブ（２９）を介して上方の吸排塵ファン（３６）に向けて送給するコンバインの脱穀装置において、クリンプ網（２４）の前半部下方に設ける揺動選別盤（２５）前部のフィードパン（２６）後側に篩線（２８）を取付け、クリンプ網（２４）前後幅中間下方でグレンシーブ（３０）前端よりも前方に篩線（２８）を配設させ、扱胴（６）によって殆んど脱粒される穀粒がクリンプ網（２４）前部から下方のフィードパン（２６）に落下して左右に均一分散されて後方移送され、穀粒落下量が少なくなるクリンプ網（２４）中間下方で篩線（２８）によって藁屑を分離し乍らフィードパン（２６）の穀粒をチャフシーブ前部に移動させ、チャフシーブ（２９）前部及びグレンシーブ（３０）を介して穀粒を速やかに漏下させて効率良く収集し、揺動選別盤（２５）前部での穀粒選別効率の向上などを図る。
【００１８】
また、吸排塵ファン（３６）と篩線（２８）の間でチャフシーブ（２９）前後幅中間上方に扱胴（６）後部を配設させ、扱胴（６）の脱穀によって発生する藁屑の大半を篩線（２８）後方のチャフシーブ（２９）上面に落下させて速やかに機外に排出させ、フィードパン（２６）の穀粒に混在する藁屑の除去を篩線によって適正に行わせることができ、選別損失の低減並びに選別効率の向上などを図ると共に、篩線（２８）の前側下方から後側上方に送風するプレファンである送塵ファン（３１）をフィードパン（２６）下方に設け、側面視円形の外形状となる唐箕の斜前方上方に送塵ファン（３１）の取付スペースを確保し、揺動選別盤（２５）の前後幅内にコンパクトに送塵ファン（３１）を設置させる。
【００１９】
また、扱胴（６）前側面とフィードパン（２６）前端面と送塵ファン（３１）前側面を略面一に揃え、脱穀部（４）の前面を略垂直な平面状の壁面で形成し、脱穀部（４）の機筐構造の簡略化並びに不要空間の低減によるコンパクト化を図ると共に、送塵ファン（３１）とグレンシーブ（３０）の間でこれらの下方に唐箕（３２）を設け、送塵ファン（３１）上方にフィードパン（２６）を配置させてフィードパン（２６）の前後幅を確保し、かつグレンシーブ（３０）に唐箕（３２）を近接させて選別風を適正に送給し、揺動選別盤（２５）の左右幅を拡大することなく選別能力の向上などを図る。
【００２０】
また、１番コンベア（３３）の軸に対して高位置に設ける唐箕（３２）の軸よりもプレファン（３１）の軸をさらに高く位置させ、フィードパン（２６）とグレンシーブ（３０）の配置に必要な高低差を利用して揺動選別盤（２５）の下面側に送塵ファン（３１）を近接させて配置し、送塵ファン（３１）取付け構造のコンパクト化並びに簡略化を行うと共に、送塵ファン（３１）の軸と１番コンベア（３３）の軸を結ぶ直線上に唐箕（３２）を設け、側面視円形で大径の唐箕（３２）の斜前方上方に形成されるスペースに側面視円形で小径の送塵ファン（３１）をコンパクトに収納し、選別風供給構造の簡略化及びコンパクト化を図るもので、フィードパン（２６）前端とグレンシーブ（３０）前端の間でこれらの下方に送塵ファン（３１）と唐箕（３２）を前後に近接させて設け、フィードパン（２６）下面を送風ガイドとして送塵ファン（３１）から篩線（２８）下側に送風し、フィードパン（２６）の前後幅を確保して揺動選別盤（２５）の左右幅縮少またはフィードパン（２６）上での穀粒の左右方向分散を図り、しかも唐箕（３２）とグレンシーブ（３０）の離反距離を適正に形成して唐箕（３２）の風選作用を適正に行わせる。
【００２１】
図７乃至図８に示す如く、前記刈取部（８）は分草板（５８）を介し取入れられる未刈り穀稈を起立させる引起しタイン（５９）を有する６条用引起しケース（６０）と、この引起された穀稈の稈元側及び穂先側を掻込むスターホイル（６１）及び掻込ベルト（６２）と、この掻込時稈元側を切断する刈刃（９）と、切断後の右側２条分の穀稈の稈元側を左斜め後方に搬送する右下部搬送チェン（６３）と、右側２条分の穀稈の穂先側を左斜め後方に向け搬送する右上部搬送タイン（６４ａ）を有する右上部搬送体（６４）と、中央２条分の穀稈の稈元側及び穂先側を後方の右下部搬送チェン（６３）及び右上部搬送体（６４）の送り中間位置近傍に合流させる中央下部搬送チェン（６５）及び中央上部搬送タイン（６６ａ）を有する中央上部搬送体（６６）と、左側２条分の穀稈の稈元側及び穂先側を右下部搬送チェン（６３）及び右上部搬送体（６４）の送り終端位置近傍に合流させる左下部搬送チェン（６７）及び左上部搬送タイン（６８ａ）を有する左上部搬送体（６８）と、前記右下部搬送チェン（６３）の送り終端に合流する６条分の穀稈の稈元側を前記フィードチェン（５）の送り始端に受継ぎ搬送する縦搬送チェン（６９）と、前記右上部搬送体（６４）の送り終端に合流する６条分の穀稈の穂先側を脱穀入口方向に搬送する後上部搬送タイン（７０ａ）を有する後上部搬送体（７０）と、前記後上部搬送体（７０）と縦搬送チェン（６９）との送り終端部間の上下略中央位置に設けてフィードチェン（５）に適正姿勢で穀稈を受継ぎさせる補助搬送チェン（７１）と、前記各上部搬送体（６４）（６６）（６８）の上方で対向位置に設けて穀稈の穂首より若干下部を搬送する右・中央・左穂先搬送タイン（７２ａ）（７３ａ）（７４ａ）をそれぞれ有する右・中央・左穂先搬送体（７２）（７３）（７４）とを備え、刈取られた６条分の穀稈の稈元側及び穂先側を各チェン（６３）（６５）（６７）及び各搬送体（６４）（６６）（６８）を介し縦搬送チェン（６９）に受継ぎ合流させて脱穀部（４）に供給し脱穀処理するように構成している。
【００２２】
図９乃至図１１にも示す如く前記各穂先搬送体（７２）（７３）（７４）と各上部搬送体（６４）（６６）（６８）の送り作用側とを対向状に設けて、各組合せの搬送タイン（６４ａ）（７２ａ）・（６６ａ）（７３ａ）・（６８ａ）（７４ａ）の送り方向を同一とさせるもので、刈取フレーム（１２）に立設させる引起し入力パイプ（７５）の引起し入力軸（７６）に、引起しケース（６０）上端の横駆動ケース（７７）の横駆動軸（７８）及び分岐ケース（７９）の分岐軸（８０）を介して各搬送体（７２）（７３）（７４）の入力軸（８１）（８２）（８３）をそれぞれ連動連結させている。
【００２３】
前記分岐ケース（７９）は引起しケース（６０）の背面上端側にそれぞれ設けて、これらケース（６０）の引起しタイン（５９）の駆動を行うもので、横駆動ケース（７７）に各引起しケース（６０）の上端を連結させ、該ケース（６０）の下端に引起しタイン（５９）のタインチェン（８４）を駆動する出力軸（８５）を設け、分岐ケース（７９）内の分岐軸（８０）の上端を横駆動軸（７８）に一対のベベルギヤ（８６）を介し、また下端を前記出力軸（８５）に一対のベベルギヤ（８７）を介しそれぞれ連結させて、各引起しケース（６０）の引起しタイン（５９）の駆動を行うように構成している。
【００２４】
そして、左側より２番目、３番目と、右側より２番目の分岐ケース（７９）の下端に前記穂先搬送体（７２）（７３）（７４）を連結支持させて、これら搬送体（７２）（７３）（７４）の入力軸（８１）（８２）（８３）を各出力軸（８５）に自在継手（８８）を介し連動連結させて、各穂先搬送タイン（７２ａ）（７３ａ）（７４ａ）のそれぞれの駆動を行うように構成している。
【００２５】
而して平面視、各上部搬送体（６４）（６６）（６８）の対向位置に穂先搬送体（７２）（７３）（７４）を配備させて、相互対向関係にある各タイン（６４ａ）（７２ａ）・（６６ａ）（７３ａ）・（６８ａ）（７４ａ）の送り方向を同一方向とさせることによって、引起しケース（６０）に引掛った穀稈の後方への引抜き作用力を大とさせると共に、穂先搬送タイン（７２ａ）（７３ａ）（７４ａ）で穀稈の穂首より若干下位置を搬送させて脱粒を低減させ、また引起し駆動ケース（７７）の下位置近傍に各穂先搬送体（７２）（７３）（７４）を配設して、駆動ケース（７７）に引掛った穀稈の引抜き作用力を大とさせて、各上下部搬送体（６３）〜（６８）で形成するＹ字形搬送路（８９）において引掛りのない穀稈のスムーズな搬送を可能とさせるように構成したものである。
【００２６】
【発明の効果】
以上実施例から明らかなように本発明は、扱室（２２）に扱胴（６）を内設させ、脱穀排塵及び藁屑を機外後方に排出させる吸排塵ファン（３６）を扱胴（６）の後方に設け、扱胴（６）乃至吸排塵ファン（３６）の下方に揺動選別盤（２５）を設け、揺動選別盤（２５）下方で唐箕（３２）及び１番コンベア（３３）及び２番コンベア（３４）を前後に並設させ、唐箕（３２）の選別風を揺動選別盤（２５）に備えた下位のグレンシーブ（３０）と上位のチャフシーブ（２９）を介して上方の吸排塵ファン（３６）に向けて送給するコンバインの脱穀装置において、揺動選別盤（２５）前部に上下２段に前後フィードパン（２６，２７）を配設し、前フィードパン（２６）後側に篩線（２８）を取付け、また後フィードパン（２７）後端に前記チャフシーブ（２９）を連設させたもので、２つのフィードパン（２６，２７）により、選別面積を有効に拡大させることができると共に、扱胴（６）によって脱粒される大半の穀粒が前部から下方の前フィードパン（２６）に落下して均一分散されて後方移送でき、穀粒落下量が少なくなる中間下方で中間下方で篩線（２８）によって藁屑を分離し乍ら前フィードパン（２６）の穀粒を後フィードパン（２７）及びチャフシーブ前部に移動させることができ、チャフシーブ（２９）前部及びグレンシーブ（３０）を介して穀粒を速やかに漏下させて効率良く収集でき、揺動選別盤（２５）前部での穀粒選別効率の向上などを容易に図ることができるものである。
【００２７】
また、請求項２によれば、吸排塵ファン（３６）と篩線（２８）の間でチャフシーブ（２９）前後幅中間上方に扱胴（６）後部を配設させることにより、扱胴（６）の脱穀によって発生する藁屑の大半を篩線（２８）後方のチャフシーブ（２９）上面に落下させて速やかに機外に排出でき、フィードパン（２６）の穀粒に混在する藁屑の除去を篩線によって適正に行わせることができ、選別損失の低減並びに選別効率の向上などを容易に図ることができるものである。
【００２８】
また、請求項３によれば、篩線（２８）の前側下方から後側上方に送風するプレファン（３１）をフィードパン（２６）下方に設けることにより、側面視円形の外形状となる唐箕の斜前方上方にプレファン（３１）の取付スペースを容易に確保でき、揺動選別盤（２５）の前後幅内にコンパクトにプレファン（３１）を設置できるものである。
【００２９】
また、請求項４によれば、扱胴（６）前側面とフィードパン（２６）前端面とプレファン（３１）前側面を略面一に揃えることにより、脱穀部（４）の前面を略垂直な平面状の壁面で形成でき、脱穀部（４）の機筐構造の簡略化並びに不要空間の低減によるコンパクト化を容易に図ることができるものである。
【００３０】
また、請求項５によれば、プレファン（３１）とグレンシーブ（３０）の間でこれらの下方に唐箕（３２）を設けることにより、プレファン（３１）上方にフィードパン（２６）を配置させてフィードパン（２６）の前後幅を容易に確保でき、かつグレンシーブ（３０）に唐箕（３２）を近接させて選別風を適正に送給でき、揺動選別盤（２５）の左右幅を拡大することなく選別能力の向上などを容易に図ることができるものである。
【００３１】
また、請求項６によれば、１番コンベア（３３）の軸に対して高位置に設ける唐箕（３２）の軸よりもプレファン（３１）の軸をさらに高く位置させることにより、フィードパン（２６）とグレンシーブ（３０）の配置に必要な高低差を利用して揺動選別盤（２５）の下面側にプレファン（３１）を近接させて配置でき、プレファン（３１）取付け構造のコンパクト化並びに簡略化を容易に行うことができるものである。
【００３２】
【００３３】
また、請求項７によれば、フィードパン（２６）前端とグレンシーブ（３０）前端の間でこれらの下方にプレファン（３１）と唐箕（３２）を前後に近接させて設けることにより、フィードパン（２６）下面を送風ガイドとしてプレファン（３１）から篩線（２８）下側に送風でき、フィードパン（２６）の前後幅を確保して揺動選別盤（２５）の左右幅縮少またはフィードパン（２６）上での穀粒の左右方向分散を容易に図ることができ、しかも唐箕（３２）とグレンシーブ（３０）の離反距離を適正に形成して唐箕（３２）の風選作用を適正に行わせることができるものである。
【図面の簡単な説明】
【図１】揺動選別部の側面説明図。
【図２】コンバインの全体側面図。
【図３】コンバインの全体平面図。
【図４】脱穀部の断面図。
【図５】篩い線部の平面説明図。
【図６】篩い線部の側面説明図。
【図７】刈取部の側面説明図。
【図８】刈取搬送系の平面説明図。
【図９】穀稈上部搬送部の平面説明図。
【図１０】穂先搬送体の側面説明図。
【図１１】穂先搬送体の駆動系説明図。
【符号の説明】
（６）    扱胴
（２２）  扱室
（２４）  クリンプ網
（２５）  揺動選別盤
（２６）  フィードパン
（２８）  篩線
（２９）  チャフシーブ
（３０）  グレンシーブ
（３１）  送塵ファン（プレファン）
（３２）  唐箕
（３３）  １番コンベア
（３４）  ２番コンベア
（３６）  吸排塵ファン
【図１】
0003807714.tif 000002
【図２】
0003807714.tif 000003
【図３】
0003807714.tif 000004
【図４】
0003807714.tif 000005
【図５】
0003807714.tif 000006
【図６】
0003807714.tif 000007
【図７】
0003807714.tif 000008
【図８】
0003807714.tif 000009
【図９】
0003807714.tif 000010
【図１０】
0003807714.tif 000011
【図１１】
0003807714.tif 000012